(57)【要約】【課題】  多様な使用状態でも、身体の部位に集中して高い温浴効果を発揮しえる、温浴マット材及び温浴具を提供する。【解決手段】  多種の岩石をその粒径が１００μｍ以下に粉砕し、且その放射波長が２．７乃至３．５μｍの近赤外線の放射率が０．６以上、及びその放射波長が５．７乃至６．５μｍの遠赤外線の放射率が０．９以上となる組成成分に配合した近赤外線及び遠赤外線放射粉体を織物等に所要量塗着した近赤外線及び遠赤外線放射基材の裏面に、面状加熱ヒーターが積層され、且その裏面に断熱シート材が一体的に積層された温浴マット材。【選択図】図６
2008073476.tif 000002
【特許請求の範囲】
【請求項１】
各種の岩石をその粒径が１００μｍ以下に粉砕してなる岩石粉体を、その放射波長が２．７乃至３．５μｍの近赤外線の放射率が少なくとも０．６以上、及びその放射波長が５．７乃至６．５μｍの遠赤外線の放射波長が少なくとも０．９以上に放射されるような組成成分に配合させた近赤外線及び遠赤外線放射粉体を、編物や織物若しくは不織布或いは柔軟な合成樹脂フィルムからなる基材の一側面若しくは両側面に、所要量を塗着して近赤外線及び遠赤外線放射基材となしたるうえ、この裏面に面状加熱ヒーターが積層され且該面状加熱ヒーターの裏面に断熱シート材が一体的に積層された構成からなる温浴マット材。
【請求項２】
岩石粉体が最密充填密度を形成する粒度分布に粉砕されてなる、請求項１記載の温浴マット材。
【請求項３】
近赤外線及び遠赤外線放射基材が、近赤外線及び遠赤外線放射粉体の所要量を柔軟な合成樹脂素材と配合のうえシート状に成形されたものである、請求項１若しくは請求項２記載の温浴マット材。
【請求項４】
所要の寸法形状に形成された外装体内に、請求項１乃至請求項３記載の温浴マット材が着脱自在に若しくは一体的に固定されて挟入されてなることを特徴とする温浴具。
【発明の詳細な説明】
【技術分野】
【０００１】  本発明は近赤外線及び遠赤外線領域の高い電磁波再放射により優れた温浴効果を保持する温浴具を簡便且安価に作成できる温浴マット材及び温浴具に関する。
【背景技術】
【０００２】  古くから疲労回復の手段としては、温泉や風呂が利用性とともに疲労回復効果も高いことから利用されてきているが、近年に至っては生活水準の向上による食生活の変化に伴い、高蛋白高カロリーの摂取と且他方における車社会化による運動不足とが相俟って中性脂肪過多やメタボリック疾患者等が著しく急増化している。
これがためには発汗や新陳代謝を一段と高めて老廃物の体外排出を図ることが望ましいとされることから、更に高温空気や高温スチームを用いた所謂サウナ風呂やスチーム風呂の利用も積極的になされるに至っている。【０００３】  然るに最近においては、前述の食生活の変化や車社会化による運動量の低下に加えて、飲料水や空気の汚染、都市化に伴う騒音や電子化された家電製品や事務機器からの絶えまない電子音の発生、或いは高齢化社会等とにより生活習慣病即ち糖尿病や循環器病特には高血圧症、高脂血症、脳卒中、虚血性心疾患等が激増し、而も高齢化とともに動脈硬化や血圧上昇も増大化するものであるから、疲労回復のための温泉や風呂或いは高温度のサウナ風呂やスチーム風呂の利用は、却って脳卒中や心臓発作の誘発危険が危惧され、とりわけ体力の低下した高齢者には一段とその危険も高くなる。【０００４】  これがため、岩石類が本質的に保持する遠赤外線再放射特性を保持する岩石類を略平板状に切削した石板若しくは岩盤上に仰臥や伏臥して、適宜温度に加温させて比較的低温度で且遠赤外線の内部加温により、身体に負担を加えることなく発汗や血行促進を図る石板浴若しくは岩盤浴が急速に普及しつつある。【０００５】  而しながら現在の石板浴や岩盤板浴に使用される岩石板材は、花崗岩を初め閃長岩、閃緑岩、はんれい岩、流紋岩或いは石英安山岩等多種に亘る岩石類が使用されてなるものの、生体内への透過加温作用を有する遠赤外線再放射特性は放射波長が略７乃至２０μｍとされているものの、その放射特性はその岩石の主要成分たるシリカやジルコニア、或いはアルミナ等と遷移元素酸化物の組成割合によって大きく異なるものであるから、それぞれの遠赤外線放射特性も大きく異なり、而もこれら岩石類を切削形成した石板や岩盤上での仰臥や伏臥では岩板材が硬く痛みを伴う等使用感が悪く、且使用時での発汗や排出体液等も排出されたままとなり、而も空中落下菌の付着とともに急速な繁殖がなされるため臭気の発生ばかりか極めて非衛生的ともなる。
加えてかかる石板浴や岩盤浴の利用には費用が割高なうえ、その利用には設置施設にまで出向かねばならず、自づと利用者も限定される。【０００６】  発明者かかる実情に鑑み研究を重ねた結果、岩石類の遠赤外線再放射特性は受容する赤外線領域の電磁波所謂熱線を受容のうえ遠赤外線領域の電磁波に変換再放射するものであるから、受容熱線が強度でないと再放射赤外線放射強度も不十分となり身体内への透過と内部加温が十分になしえず、且身体内への透過と内部加温にはその波長が略５．７乃至６．５μｍのものが有効とされており、漠然と選択された岩石では各個に遠赤外線放射特性を異にするために、十分な温浴効果も発揮されない結果となっている。【０００７】  加えて重要なことは、遠赤外線の身体透過による内部加温は身体内の組織や特には水分子を励起せしめて熱エネルギーを創出せしむることであって、水分子の励起には前記遠赤外線領域の波長と且その波長が２．７乃至３．５μｍの近赤外線領域の波長が極めて大きく作用すること、及び該近遠赤外線領域の放射特性は遷移元素酸化物の組成割合如何により、自在に変化しえることを解明した。従って遠赤外線を放射しえる岩石粉体と、近赤外線を放射しえる岩石粉体とを所要の組成割合に配合させて近赤外線及び遠赤外線放射粉体となしたうえ、編物や織物若しくは不織布或いは柔軟なフィルムの一側面若しくは両側面に所要量を塗着させて近赤外線及び遠赤外線放射基材となし、或いは柔軟な合成樹脂素材に近赤外線及び遠赤外線放射粉体を適宜割合量に配合しシート状に成形して、近赤外線及び遠赤外線放射シート材となしたうえ、この裏面に面状加熱ヒーターを積層させ更にその裏面には断熱シート材を一体的に積層させることで温浴マット材が形成され、この温浴マット材も適宜の寸法形状に形成させた外装体内に包着挟入させることで、多様な使用状態でも身体部位に集中して高い温浴効果が発揮しえることを想到し本発明に至った。
【発明の開示】
【発明が解決しようとする課題】
【０００８】  本発明は多様な使用状態においても、身体の部位に集中して高い温浴効果が発揮しえる、温浴マット材及び温浴具を提供することにある。
【課題を解決するための手段】
【０００９】  上述の課題を解決するために本発明が採用した技術的手段は、多種に亘る岩石を最大でも１００μｍ以下の粒径に粉砕した岩石粉体で、且その組成が酸化珪素並びに酸化アルミニウムが７０乃至８０重量％、及び酸化鉄が８乃至１５重量％と酸化チタンが０．８乃至１．５重量％、酸化マンガンが０．１８乃至０．３５重量％、並びに酸化コバルト、酸化銅、酸化マンガン、酸化コバルト、若しくは酸化ニッケルがそれぞれ０．０１乃至０．０５重量％割合からなる遷移元素酸化物の組成で配合し、その放射波長が２．７乃至３．５μｍの近赤外線の放射率が少なくとも０．６以上及びその放射波長が５．７乃至６．５μｍの遠赤外線の放射率が０．９以上に放射しえる近赤外線及び遠赤外線放射粉体を、編物や織物若しくは不織布或いは柔軟な合成樹脂フィルムの一側面若しくは両側面に所要量割合で塗着して近赤外線及び遠赤外線放射基材となし、若しくは該近赤外線及び遠赤外線放射粉体を柔軟性を保持する合成樹脂素材に所要量割合で配合のうえシート状に成形して近赤外線及び遠赤外線放射シート材となしたうえ、かかる近赤外線及び遠赤外線放射基材若しくはシート材の裏面に、屈撓自在な面状加熱ヒーターが積層され且更にその裏面には面状加熱ヒーターによる加熱エネルギーの外部漏失を防止するうえから、柔軟性を保持する断熱シート材を一体的に積層させた構成により温浴マット材が形成される。【００１０】  かかる如くしてなる温浴マット材を、その使用状態及び身体部位の寸法形状に合せて形成させた外装体の内部に、着脱自在に若しくは一体的に固定して該温浴マット材を包着挟入させた構成からなる温浴具に存するものである。
【発明の効果】
【００１１】  本発明は上述の如き構成からなるもので、多様な岩石をその粒径が最大でも１００μｍ以下の微粒状に粉砕させたうえ、その組成に酸化珪素並びに酸化アルミニウムが７０乃至８０重量％割合に用いられるものであるから広範囲の岩石が利用でき、且酸化鉄、酸化マンガン、酸化リチウム、酸化コバルト、酸化チタン、酸化銅或いは酸化ニッケル等の遷移元素酸化物も広範囲の岩石に含有の多少を以って存在するものであるから、岩石の適宜選択により、その組成割合に組成させることも容易になしえ近赤外線及び遠赤外線放射粉体が形成できる。【００１２】  そして該近赤外線及び遠赤外線放射粉体には酸化鉄をはじめ酸化チタン、酸化マンガン、酸化コバルト、酸化銅、酸化ニッケルからなる遷移元素酸化物が所要の重量％割合で配合されたうえ、編物や織物若しくは不織布或いは柔軟な合成樹脂フィルムの一側面若しくは両側面に所要量が塗着され、或いは柔軟な合成樹脂素材に所要量を配合のうえシート状に成形して近赤外線及び遠赤外線放射基材若しくはシート材となしたうえ、その裏面に屈撓性を有する面状加熱ヒーターが積層され、更にその裏面に柔軟性を保持する断熱シート材が一体的に積層されて温浴マット材が形成されるものであるから、面状加熱ヒーターに通電のうえ所要温度に加熱することにより、該加熱エネルギーは断熱シート材により断熱されて外部漏失が防止されるとともに、近赤外線及び遠赤外線放射基材若しくはシート材の近赤外線及び遠赤外線放射粉体に吸熱されたうえ生体内部への透過性の高いその波長が５．７乃至６．５μｍの遠赤外線はもとより内部加温作用の高い波長２．７乃至３．５μｍの近赤外線がその一側面より高い放射率を以って放射される。【００１３】  加えて該一体的に積層形成された温浴マットは、屈撓性を有し且扁平状であるから全体が薄く形成されて適宜の寸法形状に裁断が容易になしえるとともに屈曲や折合にも自在に対処できる。
そして強靭で美装も可能な編物や織物若しくは不織布或いはフィルム素材からなり、予め仰臥や伏臥して使用する扁平マット状や身体の一部に接触使用しえる扁平マット片、若しくは脚部や腕部を包着しえる包着マット状或いは身体の全体や部分を包被できる袋状若しくは筒状に形成された外装体内に、温度センサーを介して着脱自在に装着させ若しくは外装体と一体的に固定させて温浴具が形成されてなるから、身体に適宜に接触若しくは包被させて通電させることにより、面状加熱ヒーターが所要温度に加熱されるとともに該加熱エネルギーが温浴マット材の近赤外線及び遠赤外線放射粉体に吸熱され且身体内への透過と内部加温性に優れる近赤外線及び遠赤外線が高い放射率を以って放射されるため、身体の全身若しくは適宜部位に高い温浴効果を所望の場所で得られる。
【発明を実施するための最良の形態】
【００１４】  岩石類をその粒径が１００μｍ以下に粉砕し、且その組成が酸化珪素並びに酸化アルミニウムが７０乃至８０重量％、及び酸化鉄が８乃至１５重量％と酸化チタンが０．８乃至１．５重量％、酸化マンガン０．１８乃至０．３５重量％、及び酸化コバルト、酸化銅若しくは酸化ニッケルが０．０１乃至０．０５重量％割合で遷移元素酸化物が配合され、その放射波長が２．７乃至３．５μｍの近赤外線の放射率が少なくとも０．６以上及びその放射波長が５．７乃至６．５μｍの遠赤外線の放射率が０．９以上に放射しえる近赤外線及び遠赤外線放射粉体を、柔軟な合成樹脂フィルムの一側面に所要量を塗着した近赤外線及び遠赤外線放射基材の裏面に屈撓自在な面状加熱ヒーターを積層し、更にその裏面に柔軟性を保持する断熱シート材を一体的に積層させて温浴マット材となし、この温浴マット材を強靭で美装可能な素材で且適宜寸法形状に形成された外装材内に、温度センサーを介して着脱自在若しくは一体的に固定させてなる温浴具。
【実施例１】
【００１５】  以下に本発明実施例を図とともに詳細に説明すれば、図１は近赤外線及び遠赤外線放射粉体１の拡大説明図であって、該近赤外線及び遠赤外線放射粉体１を形成するための岩石類は、それぞれに多種に亘る組成成分を含有しているものであって、且岩石類の主要組成成分はいずれも酸化珪素と酸化アルミニウムから組成されている。
而して本発明における近赤外線及び遠赤外線放射粉体１は、その放射波長が２．７乃至３．５μｍの近赤外線を少なくとも０．６以上の放射率を以って、且その放射波長が５．７乃至６．５μｍの遠赤外線を少なくとも０．９以上の放射率を以って放射させるものであるから、その組成においては酸化珪素並びに酸化アルミニウムが７０乃至８０重量％、及び酸化鉄が８乃至１５重量％と、酸化チタンが０．８乃至１．５重量％、酸化マンガン０．１８乃至０．３５重量％、並びに酸化コバルト、酸化銅、酸化ニッケルが０．０１乃至０．０５重量％割合の遷移元素酸化物の組成割合が望まれる。【００１６】  これがためには遷移元素酸化物が比較的多く含有される岩石類の選択が有利であって、具体的な岩石としては石英閃緑岩、閃緑岩、はんれい岩、石英安山岩や角閃石、輝石、かんらん石、斜長岩等が挙げられる。
そして肝要なことは、これら岩石類を粉砕するに際しては加熱エネルギーの吸熱による近赤外線及び遠赤外線の放射に際して、その放射表面積を大きく形成することが放射効率を高めるうえから、及び編物や織物、不織布或いは柔軟なフィルムの一側面若しくは両側面に塗着させる場合の塗着性を高めること、或いは合成樹脂素材に配合のうえシート材を形成する場合の成形性のうえからも、望ましくはその粒径が略１乃至３０μｍ程度の岩石粉体１Ａとして使用することが好適である。【００１７】  加えて更に望ましくは、かかる岩石粉体１Ａの粉砕に際しては、組成配合により形成される近赤外線及び遠赤外線放射粉体１が最密充填密度を形成しえる粒度分布に粉砕させることであって、該最密充填密度を形成させることにより近赤外線及び遠赤外線放射率が高まること、及び近赤外線及び遠赤外線放射粉体１の塗着が一段と強固になされることによる。かかる場合に最密充填密度を形成する粒度分布には、配合される岩石粉体１Ａの最大粒径に対して１／１０乃至１／１５の粒度の岩石粉体１Ａが略３０乃至５０重量％割合で配合されれば良い。【００１８】  かかる如くして配合された近赤外線及び遠赤外線放射粉体１は、図２に示すように編物や織物若しくは不織布或いは柔軟な合成樹脂フィルムからなる基材２Ａの一側面若しくは両側面に所要量が塗着されることにより近赤外線及び遠赤外線放射基材２が形成される。
そして塗着される近赤外線及び遠赤外線放射粉体１の塗着量は、遷移元素酸化物の組成割合や加熱温度及び実用使用に際して使用される外装体６の素材や厚さによっても異なるが、本発明では実用使用温度が略３０乃至４０℃程度で且外装体６の厚さもせいぜい０．５乃至１ｍｍ程度のものである。従って遷移元素酸化物の組成割合が多い場合では略５０乃至７０ｇ／ｍ２程度から、遷移元素酸化物の組成割合が少ない場合では略１２０乃至１８０ｇ／ｍ２が目処となる。【００１９】  基材２Ａは実用使用に際しての柔軟性と且強靭性のうえから適宜に選択されるものであるが、温浴により多量の発汗や体液の排出のなされる使用においては、該発汗や排出体液の内部浸透を防止するうえで合成樹脂フィルムが望まれる。更に基材２Ａには該近赤外線及び遠赤外線放射粉体１が塗着２Ｂされるものであるから、被塗着性に優れ且少なくとも６０乃至８０℃程度の耐熱性を保持する素材が用いられることは当然であって、具体的には麻や綿等の天然繊維素材を初め、ポリアミドやポリエステル、ポリウレタン或いはポリアクリル系合成繊維素材が挙げられる。
更に近赤外線及び遠赤外線放射粉体１を塗着２Ｂさせる塗着剤としては特段の制約は無いが、基材２Ａとの接着性と耐熱性及び発汗や排出される体液等への耐水性のうえから、アクリル系やポリアミド系或いはポリウレタン系接着剤が好適である。【００２０】  そして基材２Ａへの近赤外線及び遠赤外線放射粉体１の塗着２Ｂには、基材２Ａの一側面若しくは二両側の全面に均等に塗着２Ｂさせることも塗着手段として採用できるが、本発明が実用使用される場合には繰返し使用荷重の付加を初め、身体への装着や脱着に際しての屈曲や変形に対応できる屈撓性を保持させるうえからは、図３のＡに示すように所要の間隔と塗着２Ｂ幅を以ってストライブ状に塗着２Ｂさせる場合や、同図Ｂに示すように全面に亘って千鳥足状にドット塗着をなすことが提案される。【００２１】  近赤外線及び遠赤外線放射基材２については、編物や織物若しくは不織布或いは柔軟な合成樹脂フィルム等の基材２Ａの一側面若しくは両側面に近赤外線及び遠赤外線放射粉体１を塗着２Ｂさせる手段の他に、図４に示すごとく柔軟な合成樹脂素材２０Ａに近赤外線及び遠赤外線放射粉体１を所要量配合のうえシート状に成形させて、近赤外線及び遠赤外線放射シート材２０としての使用も可能である。
かかる場合に柔軟な合成樹脂素材２０Ａとしては、柔軟性はもとより耐熱性や強靭性、耐水性或いは融着性等を保持する必要上から、ポリアミド系ポリエステル系若しくはポリウレタン系合成樹脂素材が望まれる。【００２２】  かかる如くして形成された近赤外線及び遠赤外線放射基材２の裏面には、図５に示すような面状加熱ヒーター３が積層される。
この面状加熱ヒーター３は、通電により実用使用に供する温度としてはせいぜい３０乃至４０℃の程度であるから、通電における最大加熱温度としても略６０乃至８０℃の加熱エネルギーが発熱されるもので十分に実用に供しえるものであるから、該面状発熱ヒーター３には特段の制約は無く絶縁フィルム材３Ａ、３Ａ間に加熱ヒーター線３Ｂを全面に配位させたうえ該絶縁フィルム材３Ａ、３Ａで密封融着させたうえ、通電線３Ｃを延出させたものが挙げられる。
かかる場合に、絶縁フィルム３Ａは耐熱性や絶縁性に加えて密封融着可能な素材が望まれるため、ポリアミド系やポリエステル系或いはポリカーボネート系合成樹脂フィルムが好都合である。【００２３】  更にこの面状加熱ヒーター３の裏面には、面状加熱ヒーター３による加熱エネルギーの外部漏出を抑制して、加熱エネルギーを近赤外線及び遠赤外線放射粉体１に吸熱させるための断熱シート材４が一体的に積層されている。
この断熱シート材４は主に断熱性能に優れるとともに、近赤外線及び遠赤外線放射基材２並びに面状加熱ヒーター３と一体的に積層形成させるための耐熱性と且縫合手段による強靭性や融着手段による融着性を保持する素材が望まれる。これがため具体的素材としてはポリエチレンやポリプロピレン或いはポリアミドやポリウレタン合成樹脂低発泡シート、若しくはアルミ箔に合成樹脂ラミネート加工を施したアルミ箔シート等が好適である。
加えて該近赤外線及び遠赤外線放射シート材２０の成形に際して配合される近赤外線及び遠赤外線放射粉体１の配合量は、近赤外線及び遠赤外線放射粉体１の放射特性や成形シート材の厚さによっても異なるが、概ね５０乃至１５０ｇ／ｍ２が目処となる。【００２４】  かかる如くして図６に示すように、近赤外線及び遠赤外線放射基材２の裏面に面状加熱ヒーター３が積層され、且更にその裏面には断熱シート材４が一体的に積層されて温浴マット材５が形成される。
かかる場合の一体的積層形成には特段の制約はなく、積層された全体をミシン縫合により、若しくはウエルダーにより融着接合させ、或いは積層されるそれぞれ相互を接着剤により接着接合させても良い。【００２５】  而してかかる温浴マット材５は、予め所要の寸法形状に形成することが生産性やコスト面からも有利であるが、他方実用使用に際してはその使用方法に際しての最適な寸法形状に形成される外装体６内に着脱自在に若しくは一体的に挟入固定させて、具体的な温浴具７として使用されるものであるから、望ましくは温浴具７の寸法形状に適合する寸法形状で形成させることも考慮する必要がある。【００２６】  図７は本発明温浴具７の例示図であって、該図７のＡには温浴マット具７０が示されてなるもので、この温浴マット具７０はふとんやベット或いは床面等に敷設展開させて、その上面に仰臥若しくは伏臥して温浴するものであるため、その幅としては略６０乃至９０ｃｍ長さとして略１８０乃至２００ｃｍに形成された外装体６の内部に、温浴マット材５が開閉ファスナー７０Ａ部分より着脱自在に挟入されるものであって、その内部適宜位置には温度センサー７０Ｂが配位され、該温度センサー７０Ｂの温度検知により、挟入されてなる温浴マット材５の面状加熱ヒーター３の通電のＯＮ−ＯＦＦがなされるよう配線が施されている。【００２７】  図７のＢには温浴巻着具７１が示されてなるもので、該温浴巻着具７１は身体の手腕や足脚等の部位に巻着させて温浴するものであるから、その幅としては略１５乃至２０ｃｍ程度で且長さは略３０乃至５５ｃｍ程度で、その一側端上面と他側端下面には相互を巻着固定係止させる面状ファスナー７１Ａが取付けられたものである。
更に図７のＣには温浴包身具７２が示されてなるもので、該温浴包身具７２は頭部を除く全身への温浴をなすためのもので、幅が略６０乃至９０ｃｍ長さ略１８０乃至２００ｃｍ厚さ略２５乃至３５ｃｍで、上面中央に開閉ファスナー７０Ａと且その一側端に、首出部７２Ａが設けられた外装体６の内面に、温浴マット材５が着脱自在に若しくは一体的に挟入固定されてなるものである。【００２８】  以下に現状の岩盤浴に使用されてなる岩石の閃緑ひん岩と、本発明温浴マット材との組成成分及び遠赤外線放射特性との比較試験結果を述べれば、閃緑ひん岩の組成成分は酸化珪素６２．８重量％、酸化アルミニウム１６．８重量％、酸化鉄９．３％、酸化カルシウム７．１重量％、酸化カリウム３．８重量％、酸化ジルコニア０．１重量％、酸化チタン０．０８重量％及び酸化マンガン０．０１からなる。
他方本発明温浴マット材の近赤外線及び遠赤外線放射粉体の組成は、酸化珪素５９．５重量％、酸化アルミニウム１４．３重量％、酸化鉄１１．９重量％、酸化カルシウム７．９重量％、酸化カリウム４．３重量％、酸化チタン１．２重量％、酸化マンガン０．２５重量％、酸化ジルコニア０．２重量％、酸化銅０．２重量％、酸化ニッケル０．１重量％及び酸化コバルト０．１重量％のものである。【００２９】  かかる組成の閃緑ひん岩と本発明近赤外線及び遠赤外線放射粉体との遠赤外線の放射特性は表１のとおりであって、本発明の如く遷移元素酸化物の組成割合が増大することにより、生体内への透過性の高い放射波長５．７乃至６．５μｍの遠赤外線と優れた加温作用を持つ放射波長２．７乃至３．５μｍの近赤外線が高い放射率を以って放射されることが理解される。【００３０】
【表１】
2008073476.tif 000003
【産業上の利用可能性】
【００３１】  温浴マット材の面状加熱ヒーターの使用電圧の変更により、車輌内での利用も可能となる。
【図面の簡単な説明】
【００３２】
【図１】  近赤外線及び遠赤外線放射粉体の拡大説明図である。
【図２】  近赤外線及び遠赤外線放射基材の説明図である。
【図３】  塗着状態の例示図である。
【図４】  近赤外線及び遠赤外線放射シート材の説明図である。
【図５】  面状加熱ヒーターの説明図である。
【図６】  温浴マット材の説明図である。
【図７】  温浴具の例示図である。
【符号の説明】
【００３２】    １    近赤外線及び遠赤外線放射粉体
１Ａ  岩石粉体
２    近赤外線及び遠赤外線放射基材
２Ａ  基材
２Ｂ  塗着
２０    近赤外線及び遠赤外線放射シート材
２０Ａ  柔軟な合成樹脂素材
３    面状加熱ヒーター
３Ａ  絶縁フィルム
３Ｂ  加熱ヒーター線
３Ｃ  通電線
４    断熱シート材
５    温浴マット材
６    外装体
７    温浴具
７０    温浴マット具
７０Ａ  開閉ファスナー
７０Ｂ  温度センサー
７１    温浴巻着具
７１Ａ  面状ファスナー
７２    温浴包身具
７２Ａ  首出部
【図１】
2008073476.tif 000004
【図２】
2008073476.tif 000005
【図３】
2008073476.tif 000006
【図４】
2008073476.tif 000007
【図５】
2008073476.tif 000008
【図６】
2008073476.tif 000009
【図７】
2008073476.tif 000010